(57)【要約】【課題】発光源として特定の形状・構造を有するＬＥＤモジュール組立体が組み込まれた３個の照明灯を使用して、比較的面積の小さい室内を照らす照明装置を提供する。【解決手段】複数個のＬＥＤ素子３０が面状に配置されている第一ＬＥＤモジュール３１と、そこから放射方向の外方に向かって延びる、複数個のＬＥＤ素子が線状に配置されている複数本の第二ＬＥＤモジュール３２とからなるＬＥＤモジュール組立体１４を準備する。そのＬＥＤモジュール組立体をシェル状殻体１３の中に収納して、照明灯１０を製作する。この照明灯を、特定位置決め構造体７０を使用して、３個環状かつ水平に突き合わせ配置して、一つの照明装置５０を製作する。【選択図】図６
2015173046.tif 000002
【特許請求の範囲】
【請求項１】
複数個のＬＥＤ素子（３０）が面状に点在・配置されている第一ＬＥＤモジュール（３１）及びそこから放射方向の外方に向かって延びる、複数個のＬＥＤ素子が線状に点在・配置されている複数本の第二ＬＥＤモジュール（３２）とからなるＬＥＤモジュール組立体（１４）と、そのＬＥＤモジュール組立体を内部に収納するシェル状殻体（１３）とからなる照明灯（１０）と、その照明灯を建物の室内に３個環状かつ水平に突き合わせ配置する位置決め構造体（７０）とから構成したことを特徴とする照明装置。
【請求項２】
複数個のＬＥＤ素子（３０）が面状に点在・配置されている第一ＬＥＤモジュール（３１）及びそこから放射方向の外方に向かって延びる、複数個のＬＥＤ素子が線状に点在・配置されている複数本の第二ＬＥＤモジュール（３２）とからなるＬＥＤモジュール組立体（１４）と、そのＬＥＤモジュール組立体を内部に収納するシェル状殻体（１３）とからなる照明灯（１０）を、位置決め構造体（７０）により、３個環状かつ水平に突き合わせ配置した第一照明灯群（Ｘ１）と、第一照明灯群より上位において３個の前記照明灯を第一照明灯群と同様に配置した第二照明灯群（Ｘ２）とから構成するとともに、第一照明灯群の照明灯と第二照明灯群の照明灯を水平方向右向き又は左向きに約６０度ずらして配置したことを特徴とする照明装置。  
【請求項３】
前記第一照明灯群（Ｘ１）の照明灯（１０）が第二照明灯群（Ｘ２）の照明灯（１０）と実質上同一形状、構造及び大きさを有している請求項２記載の照明装置。
【請求項４】
複数個のＬＥＤ素子（３０）が面状に点在・配置されている第一ＬＥＤモジュール（３１）及びそこから放射方向の外方に向かって延びる、複数個のＬＥＤ素子が線状に点在・配置されている複数本の第二ＬＥＤモジュール（３２）とからなるＬＥＤモジュール組立体（１４）と、そのＬＥＤモジュール組立体を内部に収納するシェル状殻体（１３）とからなる第一照明灯（１０１）を、位置決め構造体（７０）により、３個環状かつ水平に突き合わせ配置した第一照明灯群（Ｘ１）と、その第一照明灯群より上位又は下位において５個以上の第二照明灯（１０２）を第一照明灯群と同様に配置した第二照明灯群（Ｘ２）とから構成するとともに、第一照明灯群の第一照明灯の同心円状外方に第二照明灯群の第二照明灯を配置したことを特徴とする照明装置。
【請求項５】
前記第一照明灯（１０１）が第二照明灯（１０２）と実質上同一形状及び構造を有している請求項４記載の照明装置。
【請求項６】
複数個のＬＥＤ素子（３０）が面状に点在・配置されている第一ＬＥＤモジュール（３１）及びそこから放射方向の外方に向かって延びる、複数個のＬＥＤ素子が線状に点在・配置されている複数本の第二ＬＥＤモジュール（３２）とからなるＬＥＤモジュール組立体（１４）と、そのＬＥＤモジュール組立体を内部に収納するシェル状殻体（１３）とからなる照明灯（１０）と、その照明灯を建物の室内に３個環状かつ水平に突き合わせ配置する位置決め構造体（７０）と、隣接する前記照明灯のシェル状殻体同士を連結する連結部材（４０）とから構成したことを特徴とする照明装置。
【請求項７】
複数個のＬＥＤ素子（３０）が面状に点在・配置されている第一ＬＥＤモジュール（３１）及びそこから放射方向の外方に向かって延びる、複数個のＬＥＤ素子が線状に点在・配置されている複数本の第二ＬＥＤモジュール（３２）とからなるＬＥＤモジュール組立体（１４）と、そのＬＥＤモジュール組立体を内部に収納するシェル状殻体（１３）とからなる照明灯（１０）を、位置決め構造体（７０）により、３個環状かつ水平に突き合わせ配置し、さらに、隣接する前記照明灯のシェル状殻体同士を連結する連結部材（４０）とから構成した第一照明灯群（Ｘ１）と、第一照明灯群より上位において３個の前記照明灯を第一照明灯群と同様に配置した第二照明灯群（Ｘ２）とから構成するとともに、第一照明灯群の照明灯と第二照明灯群の照明灯を水平方向右向き又は左向きに約６０度ずらして配置したことを特徴とする照明装置。  
【請求項８】
複数個のＬＥＤ素子（３０）が面状に点在・配置されている第一ＬＥＤモジュール（３１）及びそこから放射方向の外方に向かって延びる、複数個のＬＥＤ素子が線状に点在・配置されている複数本の第二ＬＥＤモジュール（３２）とからなるＬＥＤモジュール組立体（１４）と、そのＬＥＤモジュール組立体を内部に収納するシェル状殻体（１３）とからなる第一照明灯（１０１）を、位置決め構造体（７０）により、３個環状かつ水平に配置し、さらに、隣接する前記照明灯のシェル状殻体同士を連結する連結部材（４０）とから構成した第一照明灯群（Ｘ１）と、その第一照明灯群より上位又は下位において５個以上の第二照明灯（１０２）を第一照明灯群と同様に配置した第二照明灯群（Ｘ２）とから構成するとともに、第一照明灯群の第一照明灯の同心円状外方に第二照明灯群の第二照明灯を配置したことを特徴とする照明装置。
【発明の詳細な説明】
【技術分野】
【０００１】
本発明は、ＬＥＤ素子を光源とする照明灯を複数個直接又は間接的に連結した照明装置に関するのである。
【背景技術】
【０００２】
従来から、面形状がＸ字形の照明灯は公知である（意匠登録第１２５４８４３号公報）。この非特許文献１は、図１８及び図１９に示すように、平面形状が略Ｘ字形をなす上下部殻体１、２からなるシェル状殻体３と、その中に設置された、途中が屈曲した２本のフレーム４と、それらのフレーム４に同伴・固定させた、途中が屈曲している蛍光灯５からなる照明灯６を開示している。
【０００３】
さらに前記非特許文献１は、図２０に示すように、前記照明灯６を５個、連結して一つの照明装置９を構成する手段として、各照明灯６の一対の延出部７ａ，７ｂを、連結部材８を介して、環状に連結する技術を開示している。
【先行技術文献】
【非特許文献】
【０００４】
【非特許文献１】意匠登録第１２５４８４３号公報
【発明の概要】
【発明が解決しようとする課題】
【０００５】
しかしながら、前記非特許文献１記載の照明装置９は、前記照明灯６に蛍光灯５を使用することに起因して特定の形状・構造を有する連結部材８を使用しなければならないという問題（第一の問題）がある。
【０００６】
すなわち、蛍光灯５そのものの性能をより良好に維持するために、図１８において矢印Ｙで示したように、照明灯６を構成する４本の延出部７ａ、７ｂ、７ｃ、７ｄの最外端部に電源と導通する導電線を接続する必要がある。これは、必然的に蛍光灯５の両端に設けられた封止金具と電源からの導電線とを接続するコネクタ及びそれに付属する電装部品（いずれも図示なし）を必要とすることになる。そのため、前記連結部材８を使用して複数個の照明灯を連結して一つの照明灯を製作するには、前記連結部材８を特定の形状・構造にしなければならない。
【０００７】
次に、前記非特許文献１記載の照明装置９の最外形状が総じて大きくなり、その結果、この照明装置９は、小面積の室内、例えば、日本の家屋における４畳半乃至は６畳の部屋の照明灯にするには大き過ぎるのみならず、５個の照明灯６に包囲・形成される中央領域Ｃが広くなるので、その照度が照明灯６の直下の照度との間に照度差ができるという問題（第二の問題）に遭遇する。
【０００８】
そこで、本発明者等は、上記問題を解消又は軽減可能な照明装置を提案すべく、鋭意、研究したところ、発光源として特定の形状・構造を有するＬＥＤモジュール組立体が組み込まれた照明灯を、特定個数、前記連結部材に代わる特定の構造部材を使用して、特定の状態に配置した照明装置にすればよいという事実を見出し、本発明を完成した。
【０００９】
なお、本発明者の一人は、特定の形状・構造を有するＬＥＤモジュール組立体と、その内部に収納するシェル状殻体とからなる照明灯を既に提案した（特願２０１４−２１８３０号発明）。
【００１０】
従って、本発明の課題は、発光源として特定の形状・構造を有するＬＥＤモジュール組立体が組み込まれた照明灯を、特定個数、前記連結部材に代わる特定の構造部材を使用して、特定の状態に配置した比較的小面積の室内を照らすのに最適な照明装置を提供することにある。
【課題を解決するための手段】
【００１１】
本発明は、前記の課題を解決するために、複数個のＬＥＤ素子が面状に点在配置されている第一ＬＥＤモジュール及びそこから放射方向の外方に向かって延びる、複数個のＬＥＤ素子が線状に点在配置されている複数本の第二ＬＥＤモジュールとからなるＬＥＤモジュール組立体と、そのＬＥＤモジュール組立体を内部に収納するシェル状殻体とからなる照明灯と、その照明灯を建物に室内に３個環状かつ水平に突き合わせ配置する位置決め構造体とから構成するという手段を採用する。
【００１２】
なお、本発明において、「突き合わせ配置する」とは、前記照明灯において前記シェル状殻体が最外方に突出する最外端部同士が直接当接するか、又は直接当接してないが、照明装置の設計上許容される寸法誤差により、又は照明灯自体の揺動乃至建物の振動により又は本照明装置を建物の内部に取り付けるとき、作業者が手を触れて、前記最外端部同士が当接する程度に、隣接する照明灯の最外端部間に隙間を設けて各照明灯を配置することを意味する。
【００１３】
本発明がこの手段を採用して３個の照明灯を使用しているので、前記構造の照明灯を複数個に配置してできる最小単位の環状照明装置を形成でき、その結果、比較的小面積の室内を照らす照明装置として最適な広がりを発揮するとともに、その照明装置の内部領域を最小にすることができる。
【００１４】
さらに本発明は前記の課題を解決たるために、複数個のＬＥＤ素子が面状に配置されている第一ＬＥＤモジュール及びそこから放射方向の外方に向かって延びる、複数個のＬＥＤ素子が線状に配置されている複数本の第二ＬＥＤモジュールとからなるＬＥＤモジュール組立体と、そのＬＥＤモジュール組立体を内部に収納するシェル状殻体とからなる照明灯を、位置決め構造体により、３個環状かつ水平に突き合わせ配置した第一照明灯群と、その第一照明灯群より上位において３個の照明灯を第一照明灯群と同様に配置した第二照明灯群とから構成するとともに、第一照明灯群の照明灯と第二照明灯群の照明灯を水平方向右向き又は左向きに約６０度回動させて乃至はずらして配置して照明装置を構成するという手段を採用する。ここで、「約６０度」とは、第一照明灯群の任意の照明灯の中心と第一照明灯群の中心とを結ぶ直線と、その照明灯の斜め上方の第二照明灯群の照明灯と第二照明灯群の中心とを結ぶ直線とがなす、水平方向の角度が正確に６０度を意味するのみならず、設計上又は施行上避けることができない範囲で照明灯を６０度から幾分回動させることを許容するという意味である。
【００１５】
また、本発明がこの手段を採用することにより、３個の照明灯が環状かつ上下２段に配置された第一照明灯群の照明灯が放つ光束と第二照明灯群の照明灯が放つ同様の光束と合体してより環状の光束に増幅させる。
【００１６】
本発明はさらに前記の課題をより効率的に解決するために、複数個のＬＥＤ素子が面状に配置されている第一ＬＥＤモジュール及びそこから放射方向の外方に向かって延びる、複数個のＬＥＤ素子が線状に配置されている複数本の第二ＬＥＤモジュールとからなるＬＥＤモジュール組立体と、そのＬＥＤモジュール組立体を内部に収納するシェル状殻体とからなる照明灯を、位置決め構造体により、３個環状かつ水平に突き合わせ配置した第一照明灯群と、その第一照明灯群より上位において５個以上の照明灯を第一照明灯群と同様に配置した第二照明灯群とから構成するとともに、第一照明灯群の第一照明灯の同心円状外方に第二照明灯群の第二照明灯を配置するという手段を採用する。
【００１７】
本発明はこのような手段を採用することにより、３個の照明灯が環状に配置された下段の照明装置から放射される環状の光束を、上段の照明装置から外方に放射されるより大きな環状の光束を以て、補足的に照射できる。
【００１８】
上記手段は、基本的に比較的小面積の室内を照らす最適な照明装置を構成する要件としては十分であるが、建物の天井と照明装置を設置する空間位置との空間高さが大きいと、位置決め構造体の高さが大きくなり、その結果、３個の照明灯を環状かつ水平に突き合わせ配置することが保証されなくなる。そこで、本発明ではさらに上記の手段に対して、隣接する前記照明灯のシェル状殻体同士を連結する連結部材を付加するという手段を採用する。
【発明の効果】
【００１９】
本発明は、発光源として特定の形状・構造を有するＬＥＤモジュール組立体が組み込まれた照明灯を、特定個数、前記連結部材に代わる特定の構造部材によって、特定の状態に配置した照明装置を提供できるという効果を発揮する。
【図面の簡単な説明】
【００２０】
【図１】本発明に係る照明灯の一部破断した斜視図である。
【図２】同側面図である。
【図３】前記照明灯の一部分を分解して示す分解斜視図である。
【図４】同じく部分側断面図である。
【図５】本発明に係る照明灯に組み込まれているＬＥＤモジュール組立体の一部分を示す上面図である。
【図６】本発明の一実施形態に係る照明装置の斜視図である。
【図７】本発明に係る照明灯の部分破断側面図である。
【図８】同じく底面図である。
【図９】前記実施形態に係る照明装置の部分破断側面図である。
【図１０】本発明の他の一実施形態に係る照明装置の斜視図である。
【図１１】同じく底面図である。
【図１２】同じく部分破断側面図である。
【図１３】さらに本発明の他の実施形態を示す裏面図である。
【図１４】本発明に係る連結部材の側面図である。
【図１５】同断面図である。
【図１６】本発明に係るさらに他の実施形態に係る部分破断斜視図である。
【図１７】同じく部分破断側面図である。
【図１８】従来技術に係る照明灯の部分破断斜視図である。
【図１９】図１８におけるＡ―Ａ矢視方向の断面図である。
【図２０】従来技術に係る５環状照明装置の平面図である。
【発明を実施するための形態】
【００２１】
次に、実施例に基づいて、本発明を実施するための最良の形態を説明する。
【実施例１】
【００２２】
最初に、本発明に係る照明灯を準備する。図１及び図２に示すように、この照明灯１０は、基本的には、平面形状がＸ字形をなし、上下方向の断面が下向きの凹状をなす上部殻体１１及び同じく前記断面が凹状をなす下部殻体１２を、あたかも両掌を上下に合わせて対掌化したような形状の樹脂製のシェル状殻体（第一の主要素）１３と、そのシェル状殻体１３の中において上部殻体１１に垂下固定されているＬＥＤモジュール組立体（第二の主要素）１４とからなる。
【００２３】
本発明の第一の主要素であるシェル状殻体１３の構造をさらに詳述すると、図３及び図４に示すように、シェル状殻体１３の上部殻体１１の裏側中心部位には、前記ＬＥＤモジュール組立体１４を吊り下げる取付け部材１５が複数個設けられているとともに、その取付け部材１５の外周部位及び上部殻体１１のうち外方の延びる腕部には、前記ＬＥＤモジュール組立体１４を固定する固定部材１６が複数個設けられている。
【００２４】
前記上部殻体１１と対掌的に嵌合する下部殻体１２の凹状空間には何も設けられることなく、下部殻体１２の上端面部に形成されている嵌入凸条部１７を上部殻体１１の下端面部に形成されている嵌合凹溝部１８に嵌入させることにより、下部殻体１２は上部殻体１１を下方から塞ぐ下蓋機能を発揮している。
【００２５】
さらに、前記ＬＥＤモジュール組立体１４の外方端部には、前記上部殻体１１と下部殻体１２を緊束するための緊束金具１９と、それを外方から被覆するキャップ体２０とが設けられている。前記緊束金具１９は、次のように構成されている。すなわち、前記上部殻体１１と下部殻体１２の端部内面側に、シェル状殻体１３の中心に向かってそれぞれ迫り出し・形成した上部係止部２１と下部係止部２２に同時に係止される環状体２３と、前記上部殻体１１と下部殻体１２の外周面より縮径されているとともに、前記上部係止部２１と下部係止部２２を束ねるように、それらの外周面を嵌入させる段差付き緊束金具本体２４と、キャップ体２０においてその端部内面側に中心に向かって迫り出し形成した係止部２５に係止される円板体２６と、前記環状体２３と円板体２６とを一体的に固定することにより、シェル状殻体１３とキャップ体２０を連結するとともに、緊束金具本体２４を外部に露出させないように機能する締め付け体２７とから構成されている。
【００２６】
なお、この実施形態においては、前記締め付け体２７として、ねじ２７ａとナット２７ｂが使用されているとともに、前記円板体２６、緊束金具本体２４及び環状体２３のそれぞれには、前記のねじ２７ａを挿通する透孔２６ａ、２４ａ、２３ａが透設されている。さらに、前記環状体２３及び円板体２６をシェル状殻体１３及びキャップ体２０に係止させるには、前者は、上部殻体１１の所定位置に環状体２３を静置してから下部殻体１２を上部殻体１１に組み付ける方法を採用し、後者は、キャップ体２０を弾性材料から製作することにより、円板体２６をキャップ体２０に圧入する方法を採用する。
【００２７】
次に、本発明の第二の主要素であるＬＥＤモジュール組立体について詳述する。図５に示すように、ＬＥＤモジュール組立体１４は、複数個のＬＥＤ素子３０が第一絶縁基板３３の上に面状に点在配置されている第一ＬＥＤモジュール３１と、そこから放射方向の外方に向かって延びる、複数個のＬＥＤ素子３０が第二絶縁基板３４の上に線状に点在配置されている複数本の第二ＬＥＤモジュール３２とからなる。
【００２８】
本発明に係るＬＥＤモジュール組立体１４において、第一ＬＥＤモジュール３１として、複数個のＬＥＤ素子３０が第一絶縁基板３３上に面状に点在配置されている構造のモジュールを採用するのは、次の理由による。これまで周知の照明灯は、直管型、ヘアピン管型又は環状管型の蛍光灯を使用するものであり、大きな建物内において比較的広い空間を明るくしようとする場合、直管型蛍光灯を多数本平行に設置する照明方式しかないので、マクロ的に見て照明灯を面状に配置する照明装置が必要であるという理由に依る。なお、ここで照明装置とは、複数個の照明灯が集合的に配置される一つ又は複数の照明灯群を意味するが、前記照明灯を建物の天井等の固定体に吊り下げるのに吊り下げ手段又は支持手段が必要な場合は、それらをも加えて解釈される。
【００２９】
そこで、本発明者らは、ＬＥＤモジュール特有の機能を利用して、前記第一ＬＥＤモジュール３１の平面が略四角形をなす第一絶縁基板３３の周端部に対して、複数個のＬＥＤ素子３０が線状に点在配置されている第二ＬＥＤモジュール３２を複数個接合した照明灯を創出すれば、第一ＬＥＤモジュール３１はテンプレート機能、すなわち、第一絶縁基板３３が複数本の第二ＬＥＤモジュールを放射方向の外方に延ばす基地的作用を発揮して、前記照明装置を実現できるという技術思想（基本的技術思想）を確立し、これに基づいて本発明を完成している。
【００３０】
次に、上記形状・構造を有する照明灯を使用して、本発明に係る照明装置をどのように製作するかについて説明する。図６、図７、図８及び図９に示すように、照明装置５０は、水平環状に配置されている３個の照明灯１０と、それらの照明灯１０のそれぞれを水平に配置するとともに、建物の天井又は梁等の上方固定体６０に照明灯１０を吊り下げ・支持するための位置決め構造体７０とから構成される。
【００３１】
前記位置決め構造体７０は、上方固定体６０に支持される断面が溝条をなす金属製環溝条体７１と、それに基端部が支持され先端部が照明灯１０を把持する支柱体７５とからなる。
【００３２】
前記環溝条体７１の底面部７２において環溝条体７１の中心Ｃから放射角αが１２０度をなす３か所には、透孔７３が設けられており、それらに挿通された３本の支柱体７５の基端部が固定されている。他方、照明灯１０の上部殻体１１の中心部１１ａには、前記支柱体７５の先端部が固定されている（図１，２も参照）。
【００３３】
ここで、大切なことは、前記透孔７３の透設位置と前記支柱体７５の垂下方向とを特定することである。というのは、本発明においては、照明灯１０同士を環状に配置する手段として、前記位置決め構造体７０を使用する。そのため、前記位置決め構造体７０が、照明灯１０の最外端部同士を突き合せ設置できるように照明灯１０を空中に配設する必要がある。
【００３４】
ここで、「突き合わせ設置」とは、次の状態をいう。すなわち、（１）前記照明灯１０のシェル状殻体１３が最外方に突出する最外端部同士が直接当接している状態、（２）最外端部同士が直接当接してないが、照明装置の設計上許容される寸法誤差を以て両者の間に幾分隙間ができる状態、（３）照明灯の揺動乃至建物の振動により又は本照明装置を建物の内部に取り付けるとき作業者が照明灯に触れて、前記最外端部同士の間に幾分隙間ができるように照明灯を配置する状態をいうが、その隙間は最大１５ｍｍ、好ましくは１０ｍｍとする。
【００３５】
このように照明灯同士を突き合せ設置するには、前記環溝条体７１の半径及び前記底面部７２に透設する透孔７３の位置並びに前記透孔７３から垂下する支柱体７５の傾き等を勘案しなければならない。例えば、前記支柱体７５の先端部が照明灯１０に近くなるにつれて前記環溝条体７１の中心Ｃ側に近づくように傾斜又は付勢することにより、三つの照明灯１０の最外端部同士をより突き合せ設置することが可能になる。
【００３６】
なお、各照明灯１０のＬＥＤモジュール組立体１４に対して、図１及び図２に示すように、外部の電源から電力を供給する導電線３５が接続されるが、このような導電線３５は、前記支柱体７５の外側に沿わせ又は内部に挿通させた後、前記環溝条体７１内を導通させて又は導通させることなく直接、前記上方固定体６０に設置されたコネクタ（図示なし。）に接続される。
【００３７】
以上にように構成される照明装置５０は、次の作用・効果を発揮する。前記照明装置５０は、外形を相対的に小さくかつシンプルにしても見栄えに優れている。また、前記照明装置５０は、３個の照明灯１０しか使用していないので、前記構造の照明灯を複数個に配置してできる最小単位の環状照明装置を創成できる。その結果、比較的小面積の室内を照らす照明装置として最適な広がりを発揮する。
【００３８】
前記照明装置５０は、前記照明灯群を建物の上方固定体に取り付けた特定構造の位置決め構造体７０に固定されるので、照明灯群を構成する各照明灯１０同士を、位置決め構造体７０を介して、建物の所定空間の所定の位置に間接的に配置することができるとともに、各照明灯１０に対して外部の電源から導かれる導電線を、その位置決め構造体７０の支柱体７５に沿わせることができ、その結果、照明装置に対する導電線を照明灯に対して整然と配線できる
【実施例２】
【００３９】
次に、第一実施形態と異なる第二実施形態、すなわち、前記照明灯群を水平方向上下２段に配置した構造の照明装置について詳述する。図１０、図１１及び図１２に示すように、この実施形態に係る照明装置５０は、実施例１に示した照明灯群（以下、第一照明灯群Ｘ１という。）と、その照明灯群Ｘ１の上方にもう一つの照明灯群（以下、第二照明灯群Ｘ２という。）とからなる。
【００４０】
第一照明灯群Ｘ１は、前記実施例１に示したように、特定の形状・構造を有するＬＥＤモジュール組立体と、それを内部に収納するシェル状殻体とからなる照明灯１０と、その照明灯を建物の室内に３個、環状かつ水平に突き合わせ配置を可能にする位置決め構造体７０とから構成される。
【００４１】
第二照明灯群Ｘ２は、実質的には第一照明灯群Ｘ１と同じ形状・構造を有しているとともに、位置決め構造体７０の環溝条体７１を第一照明灯群Ｘ１と共有しているが、次の要件において第一照明灯群Ｘ１と相違する。すなわち、（１）環溝条体７１の下位において第一照明灯群Ｘ１より僅かに高い水準に第二照明灯群Ｘ２に照明灯が設置されていること、（２）第二照明灯群Ｘ２の照明灯１０は、第一照明灯群Ｘ１の照明灯１０より水平方向の角度βが約６０度、右向き又は左向きに回動して配置されていること、（３）第二照明灯群Ｘ２においてその位置決め構造体７０の支柱体７５が、第一照明灯群Ｘ１のそれと非共有になっていること等の相異点がある。
【００４２】
この相異点は、前記実施例１における本発明の作用・効果に加えて、この実施例は、第一照明灯群Ｘ１の照明灯１０が放つ水平断面の環状の光束と、第二照明灯群Ｘ２の照明灯１０が放つ同様の光束とを合体して、照明装置５０の光束をより環状の光束に増幅させるという作用・効果を発揮する。
【実施例３】
【００４３】
次に、前記実施例２記載の実施形態において、第二照明灯群Ｘ２を構成する照明灯の個数を増大するとともに、その照明灯の平面形状と第一照明灯群Ｘ１の照明灯のそれと相対的に変化させて本発明を実施する実施形態について説明する。
【００４４】
この実施例において使用される照明灯は、前記実施例１及び実施例２のそれと実質的に同一構造をしているとともに、位置決め構造体の環溝条体も共通に使用される。しかしながら、第一照明灯群Ｘ１の平面的な広がりと第二照明灯群Ｘ２のそれとが相異し、後者が前者より大きく、かつ後者を構成する照明灯の数が５個と前者のそれより多い。
【００４５】
具体的に、その実施形態を説明すると、図１３に示すように、まず、実施例１の照明装置と同様の第一照明灯１０１を３個、位置決め構造体（図示なし）により環状に設置して、第一照明灯群Ｘ１を構成する。
【００４６】
次いで、前記第一照明灯１０１より大きい相似形の第二照明灯１０２を５個準備し、それらを、前記位置決め機構（第一位置決め機構）又はそれと独立に構成した第二位置決め機構（図示なし）により環状に配置して第二照明灯群Ｘ２を形成する。そして、第一照明灯群Ｘ１の３個の環状に配置された照明灯１０１が、第二照明灯群Ｘ２の５個の環状に配置された照明灯１０２に包囲されるように、第一照明灯群Ｘ１を第二照明灯群Ｘ２と同一高さレベル又は高低差を以て配置する。
【００４７】
このように得られた照明装置は、第一照明灯群Ｘ１が建物の比較的小さい室内を照らす比較的小さな環状の光束を、第二照明灯群Ｘ２が大きくより丸い環状の光束で補強するという効果を発揮する。
【実施例４】
【００４８】
上記実施例は、基本的に比較的小面積の室内を照らす最適な照明装置を対象とするものであるが、建物の天井と照明装置を設置する空間位置との空間高さを大きくすると、位置決め構造体の高さが大きくなり、その結果、３個又は第一、第二照明灯群の照明灯を環状かつ水平に突き合わせ配置することが困難になる場合がある。そこで、この実施例においては、隣接する前記照明灯に使用されるカップ体の一部を、前記シェル状殻体同士を連結する連結部材として、隣接する照明灯同士を直接連結する。
【００４９】
連結部材の形状・構造を具体的に説明すると、図１４及び図１５に示すように、隣接する照明灯１０において突合せ配置状態にある隣接するシェル状殻体１３に使用されている二つのカップ体２０を連結したような構造の連結部材４０を用意する。連結部材４０は、合成樹脂エラストマで代表される柔軟性材料からなり、底部４１ａが半球面層状をなし、開口４２ａ寄りの側壁部４１ｂが短筒状をなす第一カップ体４１１と、同様の形状・構造を有する第二カップ体４１２と、それらを連結する連結体４３とから構成されている。
【００５０】
前記カップ体４１の開口４２ａ寄りの内面には、前述したカップ体２０と同様にシェル状殻体１３に止着される緊束金具１９の円板体２６が係止される環条の係止部２５が形成されている。前記連結体４３は、放物線をその頂点より高い水平軸を中心にして回転させたとき認識される回転曲面、言い換えれば、鼓のような形状を有している。
【００５１】
このような形状・構造を有する連結部材４０を、図１６及び図１７に示すように、隣接する照明灯１０において隣接するシェル状殻体１３同士を連結して、照明装置５０を形成する。すると各照明灯１０は、位置決め構造体７０により間接的に位置決めされるとともに、連結部材４０により直接かつ相対的に所定の空間位置に位置決めされる。
【００５２】
本発明は、その根本的技術思想を踏襲しかつ発明の効果を著しく損なわない限度において、前記実施形態の一部分を変更して、例えば、次のとおり実施することができる。
【００５３】
（１）実施例３における第二照明灯群を構成する照明灯を６個以上に増やしたり、第一照明灯群の照明灯と異なる大きさにしたりすることもできる。
（２）連結部材を使用しない照明灯においては、シェル状殻体の最外端部の形状・構造を変更して、緊束金具を使用することなく、前記最外端部とカップ体とを直接嵌合させるようにすることもできる。
（３）第一照明灯群を第二照明灯群よりも上位に配置することもできる。
【産業上の利用可能性】
【００５４】
本発明は、室内を照らす照明装置の分野に広く利用することができる。
【符号の説明】
【００５５】
１０：照明灯、１１：上部殻体、１２：下部殻体、１３：シェル状殻体、１４：ＬＥＤモジュール組立体、１５：取付け部材、１６：固定部材、１７：凸条部、１８：嵌合凹溝部、１９：緊束金具、２０：カップ体、２１：上部係止部、２２：下部係止部、２３：環状体、２４：緊束金具本体、２５：係止部、２６：円板体、２７：締め付け体、３０：ＬＥＤ素子、３１：第一ＬＥＤモジュール、３２：第二ＬＥＤモジュール、３３：第一絶縁基板、３４：第二絶縁基板、３５：導電線、４０：連結部材、５０：照明装置、６０：上方固定体、７０：位置決め構造体、７１：環溝条体、７２：底面部、７３：透孔、７５：支柱体、１０１：第一照明灯、１０２：第二照明灯、Ｘ１：第一照明灯群、Ｘ２：第二照明灯群。
【図１】
2015173046.tif 000003
【図２】
2015173046.tif 000004
【図３】
2015173046.tif 000005
【図４】
2015173046.tif 000006
【図５】
2015173046.tif 000007
【図６】
2015173046.tif 000008
【図７】
2015173046.tif 000009
【図８】
2015173046.tif 000010
【図９】
2015173046.tif 000011
【図１０】
2015173046.tif 000012
【図１１】
2015173046.tif 000013
【図１２】
2015173046.tif 000014
【図１３】
2015173046.tif 000015
【図１４】
2015173046.tif 000016
【図１５】
2015173046.tif 000017
【図１６】
2015173046.tif 000018
【図１７】
2015173046.tif 000019
【図１８】
2015173046.tif 000020
【図１９】
2015173046.tif 000021
【図２０】
2015173046.tif 000022